(57)【特許請求の範囲】
【請求項１】
口栓本体の下部に、第１容器と第２容器とをそれぞれ注出口部にて取り付けた第１、第２容器取付部と、該口栓本体の上部に、第１、第２容器内のそれぞれ第１、第２液を各々注出口部から注出して合流させ混合液として混合する環状混合槽と、各々取付部から混合槽に連通するそれぞれ第１、第２連通流路とが設けられ、各々連通流路が取付部から上方に向かう基端流路と水平に向かう水平流路と上方の混合槽に向かう末端流路により構成された２液混合注出口栓本体とにより構成され、２液混合注出口栓本体に取り付けた第１、第２容器を絞り又は倒立して各液を各々連通流路の末端流路から注出可能であり、且つ前記混合槽にて適宜合流混合可能である２液混合注出口栓付き容器であって、前記２液混合注出口栓本体の上側を被覆するように蓋体が施蓋され、該蓋体の下面に下向きに立設した一対の栓体の先端部にて、前記各々末端流路が封止されるようにしたことを特徴とする２液混合注出口栓付き容器。
【請求項２】
口栓本体の下部に、第１容器と第２容器とをそれぞれ注出口部にて取り付けた第１、第２容器取付部と、該口栓本体の上部に、第１、第２容器内のそれぞれ第１、第２液を各々注出口部から注出して合流させ混合液として混合する環状混合槽と、各々取付部から混合槽に連通するそれぞれ第１、第２連通流路とが設けられ、各々連通流路が取付部から上方に向かう基端流路と水平に向かう水平流路と上方の混合槽に向かう末端流路により構成された２液混合注出口栓本体と、該注出口栓本体の上面に前記混合槽の開口部を塞ぐように被着したフェルト材とにより構成され、２液混合注出口栓本体に取り付けた第１、第２容器を絞り又は倒立して各液を各々連通流路の末端流路から混合槽４内に注出して合流混合させた混合液を、フェルト材を介して注出するようにした２液混合注出口栓付き容器であって、前記フェルト材の混合槽に向かう各々末端流路上方に相当する位置にそれぞれ切込部が設けられ、前記フェルト材の上側を被覆するように蓋体が施蓋され、該蓋体の下面に下向きに立設した前記切込部に差し込まれる一対の栓体の先端部にて、前記各々末端流路が封止されるようにしたことを特徴とする２液混合注出口栓付き容器。
【請求項３】
口栓本体の下部に、第１容器と第２容器とをそれぞれ注出口部にて取り付けた第１、第２容器取付部と、該口栓本体の上部に、第１、第２容器内のそれぞれ第１、第２液を各々注出口部から注出して合流させ混合液として混合する環状混合槽と、各々取付部から混合槽に連通するそれぞれ第１、第２連通流路とが設けられ、各々連通流路が取付部から上方に向かう基端流路と水平に向かう水平流路と上方の混合槽に向かう末端流路により構成さ
れた２液混合注出口栓本体と、該注出口栓本体の上面に前記混合槽の開口部を塞ぐように被着したフェルト材とにより構成され、２液混合注出口栓本体に取り付けた第１、第２容器を絞り又は倒立して各液を各々連通流路の末端流路から混合槽４内に注出して合流混合させた混合液を、フェルト材を介して注出するようにした２液混合注出口栓付き容器であって、前記フェルト材の混合槽の開口部上に相当する領域内に注出孔が孔設され、２液混合注出口栓本体に取り付けた第１、第２容器を絞り又は倒立して各液を各々連通流路の末端流路から混合槽４内に注出して合流混合させた混合液を、フェルト材及びその注出孔より注出するようにするとともに、前記フェルト材の混合槽に向かう各々末端流路上方に相当する位置にそれぞれ切込部が設けられ、前記フェルト材の上側を被覆するように蓋体が施蓋され、該蓋体の下面に下向きに立設した前記切込部に差し込まれる一対の栓体の先端部にて、前記各々末端流路が封止されるようにしたことを特徴とする２液混合注出口栓付き容器。
【請求項４】
請求項１乃至請求項３のいずれか１項記載の２液混合注出口栓付き容器において、前記第１、第２容器を絞り又は倒立して各液を各々連通流路の末端流路から混合槽内に注出して合流混合させる際に、第１、第２容器の注出口部から注出される各液が、各々連通流路の基端流路から水平に屈曲する水平流路の上面に突き当てられながら混合槽内に注出して合流混合されることを特徴とする２液混合注出口栓付き容器。
【発明の詳細な説明】
【０００１】
【発明の属する技術分野】
本発明は、２液を混合するための混合槽を備え、混合して注出するための２つの容器を二連にして取り付け可能な二連式の混合注出用の２液混合注出口栓付き容器に関する。
【０００２】
【従来の技術】
一般的に、従来の２液混合注出容器は、注出時に２液を混合して使用するためのＬ1 液とＬ2 液とを別個に収納した振り出し可能な２本のボトル容器を備え、２液混合注出容器の注出口部に、その各々ボトルの注出口を連結し、装着して備えている。
【０００３】
この２液混合注出容器の注出口部を、注入したい対象物に対して下に向けることにより、各々ボトル注出口から注出されるＬ1 液とＬ2 液とを、混合注出容器の注出口部にて合流させて混合し、注入したい対象物に、注出できるようになっている。
【０００４】
従来の２液（Ｌ1 液とＬ2 液）を混合して注出するための２液混合注出容器は容器の注出口部を注入したい対象物に対して下に向けただけで、その容器構造の特性上、注出口から内容液が、直ちに勢い良く外に出てしまう。そのために、内容液が対象物以外の物に付着したりする恐れがある。
【０００５】
これを防止するために２液混合注出容器には種々の工夫がなされているが、注出時に２液を混合して使用するためには、それぞれＬ1 液とＬ2 液とを別個に収納した振り出し可能な２本のボトル容器が必要である。
【０００６】
また、振り出し可能なボトル容器は、その構造特性上、使用初期に液垂れが発生し、注入のための対象物以外の物を汚損する恐れがあった。
【０００７】
また、２液混合注出容器の注出口部の注出開口部の周囲には、液垂れを防止するために、余剰液を吸収するためのシート状のフェルト材が設けられているものもあるが、このフェルト材には、不使用時における液止めのために開口部を栓によって塞ぐための栓孔を孔設する必要があるため、これが液垂れ防止の効果を弱める原因となっていた。
【０００８】
【発明が解決しようとする課題】
このように従来の２液混合注出容器には、上記のような使用上の欠点があるため、内容液を最初から１液に集約して用いざるを得ず、そのため、Ｌ1 液とＬ2 液の２液を使用直前又は使用時に１液に混合して使用した方が、内容液を安定した性状に保って使用できるような薬液類等の注出容器としては、上記使用上の欠点を解消した使い易い２液混合注出容器が望まれており、本発明の課題は、そのような要望に適した二連式の注出口栓及び二連式の注出口栓を備えた容器を提供することにある。
【０００９】
【課題を解決するための手段】
本発明の請求項１に係る発明は、口栓本体の下部に、第１容器と第２容器とをそれぞれ注出口部にて取り付けた第１、第２容器取付部と、該口栓本体の上部に、第１、第２容器内のそれぞれ第１、第２液を各々注出口部から注出して合流させ混合液として混合する環状混合槽と、各々取付部から混合槽に連通するそれぞれ第１、第２連通流路とが設けられ、各々連通流路が取付部から上方に向かう基端流路と水平に向かう水平流路と上方の混合槽に向かう末端流路により構成された２液混合注出口栓本体とにより構成され、２液混合注出口栓本体に取り付けた第１、第２容器を絞り又は倒立して各液を各々連通流路の末端流路から注出可能であり、且つ前記混合槽にて適宜合流混合可能である２液混合注出口栓付き容器であって、前記２液混合注出口栓本体の上側を被覆するように蓋体が施蓋され、該蓋体の下面に下向きに立設した一対の栓体の先端部にて、前記各々末端流路が封止されるようにしたことを特徴とする２液混合注出口栓付き容器である。
【００１０】
本発明の請求項２に係る発明は、口栓本体の下部に、第１容器と第２容器とをそれぞれ注出口部にて取り付けた第１、第２容器取付部と、該口栓本体の上部に、第１、第２容器内のそれぞれ第１、第２液を各々注出口部から注出して合流させ混合液として混合する環状混合槽と、各々取付部から混合槽に連通するそれぞれ第１、第２連通流路とが設けられ、各々連通流路が取付部から上方に向かう基端流路と水平に向かう水平流路と上方の混合槽に向かう末端流路により構成された２液混合注出口栓本体と、該注出口栓本体の上面に前記混合槽の開口部を塞ぐように被着したフェルト材とにより構成され、２液混合注出口栓本体に取り付けた第１、第２容器を絞り又は倒立して各液を各々連通流路の末端流路から混合槽４内に注出して合流混合させた混合液を、フェルト材を介して注出するようにした２液混合注出口栓付き容器であって、前記フェルト材の混合槽に向かう各々末端流路上方に相当する位置にそれぞれ切込部が設けられ、前記フェルト材の上側を被覆するように蓋体が施蓋され、該蓋体の下面に下向きに立設した前記切込部に差し込まれる一対の栓体の先端部にて、前記各々末端流路が封止されるようにしたことを特徴とする２液混合注出口栓付き容器である。
【００１１】
本発明の請求項３に係る発明は、口栓本体の下部に、第１容器と第２容器とをそれぞれ注出口部にて取り付けた第１、第２容器取付部と、該口栓本体の上部に、第１、第２容器内のそれぞれ第１、第２液を各々注出口部から注出して合流させ混合液として混合する環状混合槽と、各々取付部から混合槽に連通するそれぞれ第１、第２連通流路とが設けられ、各々連通流路が取付部から上方に向かう基端流路と水平に向かう水平流路と上方の混合槽に向かう末端流路により構成された２液混合注出口栓本体と、該注出口栓本体の上面に前記混合槽の開口部を塞ぐように被着したフェルト材とにより構成され、２液混合注出口栓本体に取り付けた第１、第２容器を絞り又は倒立して各液を各々連通流路の末端流路から混合槽４内に注出して合流混合させた混合液を、フェルト材を介して注出するようにした２液混合注出口栓付き容器であって、前記フェルト材の混合槽の開口部上に相当する領域内に注出孔が孔設され、２液混合注出口栓本体に取り付けた第１、第２容器を絞り又は倒立して各液を各々連通流路の末端流路から混合槽４内に注出して合流混合させた混合液を、フェルト材及びその注出孔より注出するようにするとともに、前記フェルト材の混合槽に向かう各々末端流路上方に相当する位置にそれぞれ切込部が設けられ、前記フェルト材の上側を被覆するように蓋体が施蓋され、該蓋体の下面に下向きに立設した前記切込部に差し込まれる一対の栓体の先端部にて、前記各々末端流路が封止されるようにしたことを特徴とする２液混合注出口栓付き容器である。
【００１４】
本発明の請求項４に係る発明は、上記請求項１乃至請求項３のいずれか１項記載の２液混合注出口栓付き容器において、前記第１、第２容器を絞り又は倒立して各液を各々連通流路の末端流路から混合槽内に注出して合流混合させる際に、第１、第２容器の注出口部から注出される各液が、各々連通流路の基端流路から水平に屈曲する水平流路の上面に突き当てられながら混合槽内に注出して合流混合されることを特徴とする２液混合注出口栓付き容器である。
【００１５】
【発明の実施の形態】
本発明の２液混合注出口栓付き容器を、一実施の形態に基づいて以下に詳細に説明すれば、図１（ａ）は、本発明容器の部分側断面図、（ｂ）は、その容器を施蓋した状態の部分側断面図、（ｃ）は、その容器の上面図である。なお、本発明容器の内部構造は、図１（ａ）〜（ｂ）の部分側断面図に示すように、対称軸（対称面）Ｏに対して略面対称の構造である。
【００１６】
本発明容器は、図示するように容器二連式の２液混合注出口栓本体Ａを備え、又は２液混合注出口栓本体Ａと該注出口栓本体Ａの上面に被着したフェルト材Ｃとを備え、又は、注出口栓本体Ａと該注出口栓本体Ａの上面に被着したフェルト材Ｃと該フェルト材Ｃに孔設した注出孔２２とにより構成され、また必要に応じて蓋体Ｄを備えている。
【００１７】
＜２液混合注出口栓本体Ａ＞
２液混合注出口栓本体Ａは、図１（ａ）に示すように、口栓本体１と、その下部（下部面より内部）に、第１容器Ｂ1 を取り付ける第１容器取付部２と、第２容器Ｂ2 を取り付ける第２容器取付部２（第１、第２容器取付部２、２は互いにＯを対称面とする面対称の構造であるので第２容器取付部２の詳細図は省略）とを備え、該取付部２は下方に向かって開口している。なお第１、第２容器Ｂ1 、Ｂ2 の容積や外形は互いに同であってもよいし、異なっていてもよい。
【００１８】
例えば、第１、第２容器Ｂ1 、Ｂ2 は、容器胴部１１、注出口部１２、容器底部１３とを備えたボトル状の液体を充填した容器であり、第１容器Ｂ1 と第２容器Ｂ2 の各々注出口部１２、１２（各々注出口部１２、１２は互いにＯを対称面とする面対称の位置）が、第１容器取付部２と、第２容器取付部２に、図示するように螺子による螺着方式、又は図示しないが凹凸嵌合方式又は半回転ロールストップ方式などにてそれぞれ取り付けられる。
【００１９】
第１容器Ｂ1 には第１液Ｌ1 が、第２容器Ｂ2 には第２液Ｌ2 が、それぞれ充填密封されていて、Ｌ1 、Ｌ2 の２液を混合して注出使用する際に、その都度、第１容器Ｂ1 と第２容器Ｂ2 とを、それぞれ第１、第２容器取付部２、２に取り付けて使用する。
【００２０】
前記口栓本体１の上部（上部面より内部）には、第１容器取付部２と、第２容器取付部２とにそれぞれ取り付けた第１、第２容器Ｂ1 、Ｂ2 内の第１、第２液Ｌ1 、Ｌ2 を、各々容器Ｂ1 、Ｂ2 の注出口部から注出して合流させ、混合液Ｌ3 として混合する平面視が環状の混合槽４を備え、該混合槽４は上方に向かって開口している。また口栓本体１上面の周縁部にはリング状に側壁１ａが立設形成されている。
【００２１】
前記口栓本体１の内部には、各々取付部２、２から混合槽４に連通する第１連通流路３と、第２連通流路３（各々連通流路３、３は互いにＯを対称面とする面対称の構造）とが設けられ、各々連通流路３、３は、前記各々容器取付部２から上方に向かう基端流路３ａと、水平に向かう水平流路３ｂと、上方の混合槽４に向かう末端流路３ｃにより構成されている。
【００２２】
＜フェルト材Ｃ＞
フェルト材Ｃは、上記２液混合注出口栓本体Ａの口栓本体１上面の周縁部に立設形成されたリング状の前記側壁１ａの内面側に収まる平面形状を呈するようにシート状のフェルト材本体２１を断裁して形成した所定厚さを有するシート状体であり、図１（ａ）〜（ｂ）に図示するように、注出口栓本体Ａの上面に被着される。
【００２３】
該フェルト材Ｃは、図示するように、２液混合注出口栓本体Ａの口栓本体１上面に設けた上部に向かって開口する前記混合槽４の開口部を塞ぐように被着されていて、また、必要に応じて、そのフェルト材Ｃの混合槽４開口部上に相当する位置には、混合槽４にて混合された混合液Ｌ3 を注出するための注出孔２２が孔設されている。
【００２４】
＜本発明容器による２液混合注出＞
本発明容器は、２液混合注出口栓本体Ａの各容器取付部２、２に取り付けた上記第１、第２容器Ｂ1 、Ｂ2 を正立状態で絞り、又は注出口部を下に向け倒立させて、各液Ｌ1 、Ｌ2 を各々連通流路３から混合槽４内に注出し、該混合槽４内にて合流混合させた混合液Ｌ3 を、連続多孔質あるいは繊維質であるフェルト材Ｃを介して浸透させて注出するか、又は該フェルト材Ｃ及びその注出孔２２より注出するものである。
【００２５】
また本発明容器は、上記２液混合注出口栓付き容器において、前記第１、第２容器Ｂ1 、Ｂ2 を絞り又は倒立させて、各液Ｌ1 、Ｌ2 を各々連通流路３から混合槽４内に注出し、該混合槽４内にて合流混合させる場合に、第１、第２容器Ｂ1 、Ｂ2 の注出口部から注出される各液Ｌ1 、Ｌ2 は、各々連通流路３の基端流路３ａから水平に屈曲する水平流路３ｂの上面に、一旦突き当てられながら抵抗を受け、流速が抑制されて、混合槽４内に流入して合流混合されて、フェルト材Ｃの注出孔２２より注出される。
【００２６】
そのため、従来のように、２液混合注出口栓付き容器の注出口部を注入したい対象物に対して下に向けただけで注出口から内容液が直ちに勢い良く外に出てしまう現象がなく、注出液を対象物以外の物に付着したりする恐れが解消される。
【００２７】
また、２液混合注出口栓付き容器の注出口部の注出孔２２は、その周囲が少なくともフェルト材Ｃにより形成されているため、注出孔２２より注出された液はその周囲のフェルト材Ｃにより吸収でき、余剰液を吸収して、液垂れを防止することができる。
【００２８】
＜蓋体Ｄ＞
本発明の容器には、図１（ｂ）に示すように、第１、第２容器Ｂ1 、Ｂ2 の各液Ｌ1 、Ｌ2 が、末端流路３ｃから混合槽４内に流入するのを封止するための蓋体Ｄを備えている。
【００２９】
この蓋体Ｄは、２液混合注出口栓本体Ａのフェルト材Ｃ上面に施蓋するものであり、蓋体Ｄの天板３２下面に下向きに立設した栓体３３の先端部にて前記末端流路３ｃを封止することにより、第１、第２容器Ｂ1 、Ｂ2 の各液Ｌ1 、Ｌ2 の流出を封止するようにしたものである。
【００３０】
前記フェルト材Ｃの混合槽４開口部上に相当する領域内には、前記注出孔２２が孔設されていて、且つ前記フェルト材Ｃの混合槽４に向かう前記末端流路３ｃ上方に相当する位置には、−文字形、十文字形、微細円形などの切込部２３が設けられ、該前記栓体３３は切込部２３内に挿入されて末端流路３ｃを封止する。
【００３１】
【実施例】
本発明の具体的実施例を、図２（ａ）〜（ｂ）及び図３（ａ）〜（ｂ）に基づいて以下に詳細に説明する。
【００３２】
＜実施例１＞
＜２液混合注出口栓本体Ａ＞
２液混合注出口栓本体Ａは、図２（ａ）〜（ｂ）に示すように、筒状体の口栓本体１の筒内下部（下部面より内部）には、下方に向かって開口する第１容器Ｂ1 を取り付ける第１容器取付部２と第２容器Ｂ2 を取り付ける第２容器取付部２（第１、第２容器取付部２、２は互いにＯを対称面とする面対称の構造）とを備えている。
【００３３】
第１、第２容器Ｂ1 、Ｂ2 は、容器胴部１１、注出口部１２、容器底部１３とを備えたボトル状の液体を充填した容器であり、第１容器Ｂ1 と第２容器Ｂ2 の各々注出口部１２、１２（各々注出口部１２、１２は互いにＯを対称面とする面対称の位置）が、第１容器取付部２と、第２容器取付部２に、図示するように螺子による螺着方式にてそれぞれ取り付けられている。
【００３４】
前記口栓本体１の上部（上部面より内部）には、第１容器取付部２と、第２容器取付部２とにそれぞれ取り付けた第１、第２容器Ｂ1 、Ｂ2 内の第１、第２液Ｌ1 、Ｌ2 を、各々容器Ｂ1 、Ｂ2 の注出口部から注出して合流させ、混合液Ｌ3 として混合する平面視が環状の混合槽４を備え、該混合槽４は上方に向かって開口している。
【００３５】
また前記口栓本体１の上端外周部に沿って外側に張り出したフランジ板１ｂを備え、該フランジ板１ｂ周端部の上面にリング状に側壁１ａが立設形成され、側壁１ａの内側面には、必要に応じて、例えば図示するような鋸歯状の突起部１ｃが設けられている。
【００３６】
筒状の前記口栓本体１の筒内部には、第１容器取付部２（第１容器螺着部）と第２容器取付部２（第２容器螺着部）をそれぞれ内部に設けた第１筒体７ａと第２筒体７ａが互いに隣接して密に嵌合状態で取り付けられ、各々第１、第２筒体７ａの上端部には、それぞれ下部水平仕切板７、７が一体に設けられ、それぞれ下部水平仕切板７の各々取付部２（容器螺着部）の真上相当部には、それぞれ孔設流路３ａが設けられている。
【００３７】
また筒状の前記口栓本体１の筒内部には、前記下部水平仕切板７の上側に所定間隔ｄを保持して平行に、上部水平仕切板８が口栓本体１側に一体に設けられ、該上部水平仕切板８には、前記孔設流路３ａとは異なる中央寄りに孔設流路３ｃが設けられている。
いる。
【００３８】
上部水平仕切板８の上面の中央部には、環状に立設した槽隔壁５（図面では六角形環状の槽壁）が設けられて混合槽４を形成している。また、上部水平仕切板８上面の混合槽４内の中央部（又はその他の部分）には、支持板６（フェルト材Ｃが凹陥しないように下面を平坦に支持する）を必要に応じて立設している。
【００３９】
第１仕切板７の上面には、孔設流路３ａから孔設流路３ｃまでを囲むように上向きに立設した円形又は楕円形又は矩形又は多角形（図示するものは楕円形）の閉曲線状堤板４１による流路形成部９が設けられ、これにより第１、第２容器取付部２と混合槽４とを連通する基端流路３ａ、水平流路３ｂ、末端流路３ｃが形成されている。
【００４０】
また前記上部水平仕切板８の下面には、前記流路形成部９の閉曲線形状堤板４１外側に密着して嵌合する相似形状の円形又は楕円形又は矩形又は多角形（図示するものは楕円形）の閉曲線形状嵌合板５１が設けられている。
【００４１】
また前記下部水平仕切板７と上部水平仕切板８のいずれか一方の仕切板は、筒状の前記口栓本体１の筒内部に一体的に設けられ、他方の仕切板は、その口栓本体１の筒内部に一体的に設けられた仕切板に対して平行に、後から嵌着して組み立てられる。
【００４２】
例えば、図２（ｂ）に示すように、上部水平仕切板８は、口栓本体１の筒内部に一体成形にて設けられ、下部水平仕切板７は、第１、第２容器取付部２を組み込んだ嵌合用の筒状側板７ａの上端に一体成形にて設けられている。
【００４３】
そして口栓本体１の筒内部に、下部水平仕切板７を設けた筒状側板７ａを、上部水平仕切板８の下面に下部水平仕切板７が平行に対向するように嵌入して組み付けて流路形成部９を形成し、前記堤板４１と嵌合板５１との密着嵌合により組み立てられ固定される。
【００４４】
＜フェルト材Ｃ＞
フェルト材Ｃは、図２（ｂ）及び図３（ａ）に図示するように注出口栓本体Ａの上面に被着される。なお、口栓本体１上面に必要に応じて設けたリング状の側壁１ａの内側面に突起部１ｃは、フェルト材Ｃ（フェルト材Ｃの外周縁も同様に突起部１ｃに対応する形状に切込部を設けてもよい）の係止係止部となる。
【００４５】
該フェルト材Ｃは、図２（ｂ）及び図３（ａ）に図示するように、２液混合注出口栓本体Ａの口栓本体１上面に設けた上部に向かって開口する前記混合槽４の開口部を塞ぐように被着されていて、そのフェルト材Ｃの混合槽４開口部上に相当する位置には、混合槽４にて混合された混合液Ｌ3 を注出するための注出孔２２が必要に応じて孔設され、また別の位置には、蓋体の栓体を嵌挿するための微細円形（図４（ａ）参照）、−文字形、十文字形（図４（ｂ）参照）などの切込部２３が必要に応じて設けられている。
【００４６】
＜蓋体Ｄ＞
本発明の上記実施例の容器には、図３（ｂ）に示すように、第１、第２容器Ｂ1 、Ｂ2 の各液Ｌ1 、Ｌ2 が、末端流路３ｃから混合槽４内に流入するのを封止するための蓋体Ｄを備えている。
【００４７】
この蓋体Ｄは、図示するように、筒状側板３１と天板３２とにより構成され、２液混合注出口栓本体Ａのフェルト材Ｃ上面に施蓋するものであり、蓋体Ｄの天板３２下面に下向きに立設した栓体３３の先端部にて前記末端流路３ｃを封止することにより、第１、第２容器Ｂ1 、Ｂ2 の各液Ｌ1 、Ｌ2 の流出を封止するようにしたものである。
【００４８】
前記蓋体Ｄは、その栓体３３をフェルト材Ｃの前記末端流路３ｃ上方に相当する位置に設けられた−文字形、十文字形、微細円形などの切込部２３より挿入して、栓体３３の先端部にて末端流路３ｃを封止し、側板３１と側壁１ａとを係合部３４にて係合固定することにより施蓋される。
【００４９】
【発明の効果】
本発明の２液混合注出口栓付き容器は、第１、第２液をそれぞれ単独に充填包装した第１、第２容器を、二連式の２液混合注出口栓本体の容器取付部（容器嵌合部、容器螺着部）に凹凸嵌合あるいは螺着によて取り付け、注出目的とする対象物に対して２液混合注出口栓を下に向けて注出することにより、第１、第２液を、各々連通流路から混合槽内にて合流混合させ、混合液として２液混合注出口栓本体の上面に装着したフェルト材の注出孔より注出することができる。
【００５０】
また本発明の２液混合注出口栓付き容器は、第１、第２容器が取り付けられた状態で２液混合注出口栓を注出目的とする対象物に対して下に向け、第１、第２容器内の各液を各々連通流路から混合槽内に注出して合流混合させる場合に、第１、第２容器のそれぞれ注出口部から注出される各液は、各々連通流路の基端流路から水平に屈曲する水平流路の上面に一旦突き当てられて流下抵抗を受けながら流速が抑制されて、混合槽内に流入して合流混合され、フェルト材Ｃの注出孔２２より注出されるため、従来のように、２液混合注出口栓付き容器の注出口部を注入したい対象物に対して下に向けただけで注出口から内容液が直ちに勢い良く外に出てしまう現象がなく、注出液を対象物以外の物に付着したりする恐れが解消される。
【００５１】
また、本発明容器の注出口部の注出孔は、その周囲が少なくともフェルト材により形成されているため、注出孔より注出された液は、その周囲のフェルト材により吸収でき、余剰液を吸収して、液垂れを防止することができる。
【００５２】
このように本発明の２液混合注出口栓付き容器は、従来の２液混合注出容器における使用上の欠点を解消でき、第１液と第２液の２種類の液を、使用直前又は使用時に１液に混合して使用した方が、内容液を安定した性状に保って使用できるような薬液類をはじめとする種々の液体の容器に適した二連式の容器注出口栓及びその注出口栓を取り付けた容器を提供できる。
【図面の簡単な説明】
【図１】（ａ）〜（ｂ）は本発明容器の一実施の形態を説明する部分側断面図、（ｃ）はその平面図。
【図２】（ａ）は本発明容器の他の実施の形態を説明する平面図、（ｂ）はその部分側断面図。
【図３】（ａ）は本発明容器の他の実施の形態を説明する平面図、（ｂ）はその部分側断面図。
【図４】（ａ）〜（ｂ）は本発明容器に取り付けるフェルト材の実施例を説明する平面図。
【符号の説明】
Ｏ…対称軸（対称面）  ｄ…上下部水平仕切板の間隔
１…口栓本体  １ａ…側壁  １ｂ…フランジ部  １ｃ…突起  ２…容器取付部
３…連通流路  ３ａ…基端流路  ３ｂ…水平流路  ３ｃ…末端流路  ４…混合槽
５…槽隔壁  ６…支持板  ７…下部水平仕切板  ８…上部水平仕切板
９…流路形成部
１１…容器胴部  １２…注出口部  １３…容器底部
２１…フェルト材本体  ２２…注出孔  ２３…切込部
３１…筒状側板  ３２…天板  ３３…栓体  ３４…係合部
４１…円形又は楕円形又は矩形又は多角形の閉曲線形状堤板
５１…円形又は楕円形又は矩形又は多角形の閉曲線形状嵌合板
【図１】
0004147805.tif 000002
【図２】
0004147805.tif 000003
【図３】
0004147805.tif 000004
【図４】
0004147805.tif 000005